(57)【要約】【課題】他の無線基地局のダウンリンク送信波が干渉する場合において、リンクマージンを確保可能なスケジューリングを行う無線基地局を得ること。【解決手段】通信方式としてＴＤＭＡ／ＴＤＤ方式を採用する無線基地局であって、複数の端末からユーザデータの送信要求を受信している場合に、ユーザデータの推定受信レベルが大きい端末順に、当該推定受信レベルと、隣接無線基地局のダウンリンクの干渉の影響を受けないように規定されたしきい値との比較処理を実施し、推定受信レベルが当該しきい値を超える端末をアップリンクのＴＤＭＡスロットに割り当てる第２スケジューリング部３４、を備える。【選択図】        図６
2010004409.tif 000002
【特許請求の範囲】
【請求項１】
通信方式としてＴＤＭＡ／ＴＤＤ方式を採用する無線基地局であって、
複数の端末からユーザデータの送信要求を受信している場合に、ユーザデータの推定受信レベルが大きい端末順に、当該推定受信レベルと、隣接無線基地局のダウンリンクの干渉の影響を受けないように規定されたしきい値との比較処理を実施し、推定受信レベルが当該しきい値を超える端末をアップリンクのＴＤＭＡスロットに割り当てるスケジューリング手段、
を備えることを特徴とする無線基地局。
【請求項２】
スケジューリング手段は、
前記隣接無線基地局から通知されるアップリンク開始位置情報と自装置で測定された隣接無線基地局の干渉レベルに基づいて、隣接無線基地局の組み合わせ毎に干渉レベルのテーブルを作成し、当該テーブルから、自局のアップリンクのＴＤＭＡスロット毎の干渉レベルを求め、さらに、得られた各干渉レベルにそれぞれリンクマージンを加え、それらの結果をアップリンクのＴＤＭＡスロット毎の前記しきい値とし、
アップリンクの先頭のＴＤＭＡスロットから前記比較処理を実施し、その結果、推定受信レベルがしきい値を超える場合に、該当する端末を当該しきい値に対応するＴＤＭＡスロットに割り当て、一方、推定受信レベルがしきい値を超える端末がない場合には、当該しきい値に対応するＴＤＭＡスロットを未使用スロットとし、
以降、アップリンクの最後のＴＤＭＡスロットまで順に、割り当てられていない端末を対象に前記比較処理を実施することを特徴とする請求項２に記載の無線基地局。
【請求項３】
ダウンリンクのユーザデータに対応する送信先の端末を、前記推定受信レベルが大きい端末順に、ダウンリンクのＴＤＭＡスロットの先頭から割り当てることを特徴とする請求項１または２に記載の無線基地局。
【発明の詳細な説明】
【技術分野】
【０００１】
本発明は、ＴＤＭＡ／ＴＤＤ（Time  Division  Multiple  Access／Time  Division  Duplex）方式を採用する通信システムにおいて、スケジューリングを行う無線基地局に関する。
【背景技術】
【０００２】
従来、無線基地局と複数の端末から構成される通信システムにおいて、無線基地局は、データの送信を要求する端末に対して優先順位をつけ、優先順位に基づいて端末に帯域を割り当てる（スケジューリング）。無線基地局は、スケジューリングを行う場合、フレーム内にどの端末を割り当てるかの判断を行うが、各端末をフレーム内のどのスロットに割り当てるかまでは定めていない。各スロットにおいてリンクマージンを確保するため、無線基地局は、送受信する信号のデータレートや送信電力を各端末と調整する。
【０００３】
【特許文献１】特開２００５−５０５９５４号公報
【発明の開示】
【発明が解決しようとする課題】
【０００４】
しかしながら、上記従来の技術においては、無線基地局が送受信する信号のデータレートや送信電力を端末と調整できない場合、リンクマージンを確保することが難しい、という問題があった。また、ＴＤＭＡ／ＴＤＤ方式の通信システムにおいて、ダウンリンクとアップリンクの境界がフレーム毎に変わることを許容する場合、たとえば、自局に隣接する無線基地局のダウンリンク送信波が、自局のアップリンク送信波に干渉する可能性がある。この場合、アップリンクの帯域の前半に割り当てられた端末には、大きなリンクマージンが必要となる、という問題があった。
【０００５】
本発明は、上記に鑑みてなされたものであって、他の無線基地局のダウンリンク送信波が自局のアップリンク送信波に干渉する場合において、リンクマージンを確保可能なスケジューリングを行う無線基地局を得ることを目的とする。
【課題を解決するための手段】
【０００６】
上述した課題を解決し、目的を達成するために、本発明は、通信方式としてＴＤＭＡ／ＴＤＤ方式を採用する無線基地局であって、複数の端末からユーザデータの送信要求を受信している場合に、ユーザデータの推定受信レベルが大きい端末順に、当該推定受信レベルと、隣接無線基地局のダウンリンクの干渉の影響を受けないように規定されたしきい値との比較処理を実施し、推定受信レベルが当該しきい値を超える端末をアップリンクのＴＤＭＡスロットに割り当てるスケジューリング手段、を備えることを特徴とする。
【発明の効果】
【０００７】
この発明によれば、リンクマージンを確保したスケジューリングを実現できる、という効果を奏する。
【発明を実施するための最良の形態】
【０００８】
以下に、本発明にかかる無線基地局の実施の形態を図面に基づいて詳細に説明する。なお、この実施の形態によりこの発明が限定されるものではない。
【０００９】
実施の形態１．
図１は、本発明にかかる無線基地局が通信を行うネットワークの構成例を示す図である。図１のネットワークは、無線基地局１と、端末２，３と、無線基地局４と、端末５，６と、から構成される。
【００１０】
無線基地局１は、無線ネットワークを形成する送受信装置であり、複数の端末２，３との無線信号を制御する。端末２，３は、無線基地局１の通信エリアに存在する端末である。たとえば、端末２は、通信を行うため、無線基地局１に対して位置登録や認証等を行う。端末２は、無線基地局１の制御に基づいて、無線基地局１に対してユーザ情報を送信し、また、無線基地局１から自端末向けの情報を取得する。端末３も同様である。
【００１１】
無線基地局４は、無線ネットワークを形成する送受信装置であり、複数の端末５，６との無線信号を制御する。端末５，６は、無線基地局４の通信エリアに存在する端末である。たとえば、端末５は、通信を行うため、無線基地局４に対して位置登録や認証等を行う。端末５は、無線基地局４の制御に基づいて、無線基地局４に対してユーザ情報を送信し、また、無線基地局４から自端末向けの情報を取得する。端末６も同様である。
【００１２】
無線基地局１と無線基地局４は、ともにｆ１という同一の周波数を用いるため、相互の干渉が少なくなる距離を保って配置されている。なお、以降の各構成や動作については、説明の便宜上、一例として無線基地局１と端末２を用いて説明する。
【００１３】
ここで、ＴＤＭＡ／ＴＤＤ方式による通信を行う場合の、各無線基地局が使用する一般的なフレームについて説明する。図２は、無線基地局１と無線基地局４が通信に使用するフレームの構成例を示す図である。１つのフレームがｍ個のスロットから構成されている。ここでは、無線基地局１が通信に使用するフレームはダウンリンクの帯域が大きく、アップリンクの帯域が小さい。一方、無線基地局４が通信に使用するフレームはダウンリンクの帯域が小さく、アップリンクの帯域が大きい。通常、無線基地局が送信するダウンリンクは送信電力が大きく、端末が送信するアップリンクは送信電力が小さい。そのため、無線基地局４がスロット＃ｎ−１，＃ｎに配置した端末がアップリンクの送信を行う場合、無線基地局１がスロット＃ｎ−１，＃ｎに配置した端末に対して行うダウンリンクの送信が、干渉する。
【００１４】
そこで、本実施の形態では、図３に示すフレームを使用する。図３は、ＴＤＭＡ／ＴＤＤ方式の通信に用いるフレームの構成例を示す図である。このフレームは、共通チャネルと、下り個別チャネルと、上り個別チャネルと、ＲＡＣＨ（Random  Access  Channel）と、から構成される。共通チャネルは、複数のスロットから構成され、無線基地局１から複数の端末２，３へ共通に送信する下り信号のチャネルである。下り個別チャネルは、複数のスロットから構成され、無線基地局１から端末２，３へ個別に送信するチャネルである。上り個別チャネルは、複数のスロットから構成され、端末２，３から無線基地局１へ個別に送信するチャネルである。ＲＡＣＨは、複数のスロットから構成され、無線基地局１が固有のＩＤを付与していない端末が、無線基地局１へランダムにアクセスするチャネルである。なお、フレーム内のチャネル構成やチャネル配置については、図３の構成に限定するものではない。たとえば、下り個別チャネルと上り個別チャネルの間にＲＡＣＨを配置してもよい。なお、本実施の形態では、ダウンリンクとアップリンクの境界がフレーム毎に変わることを許容する場合を想定する。
【００１５】
つぎに、図３に示すフレームを送受信する無線基地局１について説明する。図４は、無線基地局１の構成例を示す図である。無線基地局１は、ブランチ部１０−１，１０−２，…，１０−ｎと、復調部１５と、制御部１６と、変調部１７と、を備える。また、ブランチ部１０−１，１０−２，…，１０−ｎは、アンテナ部１１と、スイッチ部１２と、ＬＮＡ（Low  Noise  Amplifier）部１３と、Ａ／Ｄ（Analogue／Digital）変換部１４と、Ｄ／Ａ（Digital／Analogue)変換部１８と、ＨＰＡ（High  Power  Amplifier）部１９と、を備える。
【００１６】
ブランチ部１０−１，１０−２，…，１０−ｎは、無線信号を受信し、受信したアナログ信号をデジタル信号に変換する。また、変調後のデジタル信号をアナログ信号に変換して送信する。アンテナ部１１は、無線信号を送受信する。スイッチ部１２は、送信信号と受信信号を切り替える。ＬＮＡ部１３は、受信信号を増幅する。Ａ／Ｄ変換部１４は、アナログ信号をデジタル信号に変換する。復調部１５は、受信信号を復調する。制御部１６は、送受信データの制御を行う。変調部１７は、送信データを変調する。Ｄ／Ａ変換部１８は、デジタル信号をアナログ信号に変換する。ＨＰＡ部１９は、送信信号を増幅する。無線基地局１は、複数（ｎ個）のブランチ部を備えており、各ブランチ部は同様の構成を備える。
【００１７】
無線基地局１では、アンテナ部１１が信号を受信し、スイッチ部１２を経由してＬＮＡ部１３へ転送する。ＬＮＡ部１３は、受信信号を増幅後、Ａ／Ｄ変換部１４へ転送する。Ａ／Ｄ変換部１４は、受信したアナログ信号をデジタル信号に変換し、復調部１５へ転送する。復調部１５は、複数のブランチ部から入力される受信信号を復調する。制御部１６は、復調された受信データのヘッダ情報を解析し、ヘッダの情報に基づいてデータをネットワーク側へ転送する。また、端末２からデータを送信するための帯域割り当ての要求（受信要求）がある場合、帯域割り当てを行う。ここで、帯域割り当てとは、ＴＤＭＡ／ＴＤＤ方式においては、ＴＤＭＡスロットにデータを送受信する端末を割り当てることをいう。
【００１８】
制御部１６は、ネットワーク側からデータ送信の要求がある場合も帯域割り当てを行い、割り当てた帯域に基づいて変調部１７へデータを転送する。変調部１７は、データを変調し、各ブランチ部へ転送する。各ブランチ部のＤ／Ａ変換部１８は、変調データをデジタル信号からアナログ信号へ変換し、ＨＰＡ部１９へ転送する。ＨＰＡ部１９は、アナログ信号を増幅後、スイッチ部１２を経由してアンテナ部１１から信号を送信する。
【００１９】
なお、無線基地局の構成としては、上記以外に、たとえば、各ブランチ部への通信経路に光ファイバを使用する場合がある。図５は、各ブランチ部への通信経路に光ファイバを使用する場合の無線基地局の構成例を示す図である。無線基地局１ａは、ブランチ部２０−１，２０−２，…，２０−ｎと、復調部１５と、制御部１６と、変調部１７と、光変換部２２と、を備える。また、ブランチ部２０−１は、アンテナ部１１と、スイッチ部１２と、ＬＮＡ（Low  Noise  Amplifier）部１３と、Ａ／Ｄ（Analogue／Digital）変換部１４と、Ｄ／Ａ（Digital／Analogue)変換部１８と、ＨＰＡ（High  Power  Amplifier）部１９と、光変換部２１と、を備える。
【００２０】
ブランチ部２０−１，２０−２，…，２０−ｎは、復調部１５および変調部１７との間の通信を、光変換部２１，２２を介して光ファイバを用いて行う点がブランチ部１０−１，１０−２，…，１０−ｎと異なるが、信号の処理機能については１０−１，１０−２，…，１０−ｎと同様のため、説明を省略する。光変換部２１，２２は、送受信デジタルデータを光信号に変換し、また、光信号を送受信デジタルデータに変換する。無線基地局１ａは、光ファイバを使用することで各ブランチ部との距離を長くすることができる。そのため、各ブランチ部を配置する自由度が高くなる。
【００２１】
つづいて、制御部１６の動作について説明する。制御部１６は、ネットワーク側から端末２へ送信する複数のユーザデータを、予め設計されている無線シーケンスに基づいて制御する。このとき、一般的に用いられる方法として、ユーザデータ毎に優先度を付与する。ユーザデータが割り当て可能な無線帯域よりも多い場合、制御部１６は、ユーザデータ毎の優先度に基づいて順番に無線帯域を割り当てる。無線帯域とは、ＴＤＭＡ／ＴＤＤ方式ではＴＤＭＡスロットを指す。
【００２２】
また、制御部１６は、端末２からデータを送信するための帯域割り当ての要求（受信要求）がある場合、帯域割り当てを行う。端末２は、割り当てられた帯域において、無線基地局１へデータを送信する。制御部１６は、端末２からのデータ（パケット）が正常に受信できた場合、ネットワーク側へ通知を行う。受信したパケットに異常がある場合は、端末２に対して再送要求を行う。
【００２３】
図６は、制御部１６の構成例を示す図である。制御部１６は、受信パケット処理部３０と、受信レベル管理部３１と、シーケンス制御部３２と、第１スケジューリング部３３と、第２スケジューリング部３４と、パケット送信部３５と、を備える。受信パケット処理部３０は、受信パケットの種別を判定し、種別に応じて各構成へ通知する。受信レベル管理部３１は、端末固有のＩＤと受信レベルが１対１に対応するテーブルを保持する。シーケンス制御部３２は、自装置と通信する端末に対して固有のＩＤを付与する。また、ネットワーク側とデータの送受信を行う。第１スケジューリング部３３は、ユーザデータの優先度に基づいて帯域割り当てを行う。第２スケジューリング部３４は、第１スケジューリング部３３が割り当てた端末を、端末の受信レベルの大きい順に並べ替える。パケット送信部３５は、送信データを変調部１７へ送信する。
【００２４】
受信パケット処理部３０は、復調した受信パケットの種別を判定し、端末２が送信したユーザデータであれば、シーケンス制御部３２へユーザデータを転送する。また、無線基地局１が送信したユーザデータに対する端末２からの応答（ＡＣＫ：Acknowledgement）を受信した場合は、シーケンス制御部３２へ送信が完了したことを通知する。無線基地局１が送信したユーザデータに対する端末２からの応答が送信ＮＧ（ＮＡＣＫ：Negative  Acknowledgement）の場合は、再送してもらう必要があるので、第１スケジューリング部３３へデータの再送を要求する。
【００２５】
ここで、受信パケットには、パケットを受信した時の受信レベル情報が付加されているため、受信パケット処理部３０は、パケットの内容を判別し、端末固有のＩＤ（たとえばＭＡＣ−ＩＤ）と受信レベル（たとえばＲＳＳＩ（Receive  Signal  Strength  Indication）値）の情報を、受信レベル管理部３１へ通知する。なお、固有のＩＤが割り当てられていない端末がある場合、この端末は、ＲＡＣＨを使用して無線基地局１へＩＤの割り当てを要求する。そして、受信パケット処理部３０は、ＲＡＣＨで受信した信号の受信レベルを受信レベル管理部３１へ通知する。また、シーケンス制御部３２は、受信パケット処理部３０から通知された端末に対してＩＤを付与し、受信レベル管理部３１へ通知する。
【００２６】
受信レベル管理部３１は、端末固有のＩＤと受信レベルが１対１に対応するテーブルを保持する。たとえば、受信レベル管理部３１は、端末２に関する受信レベルの情報を受信パケット処理部３０から通知されると、新たに通知された受信レベルでテーブルを更新する。ただし、端末２と無線基地局１が複数回の通信を行う場合は、新たに通知された受信レベルと過去の受信レベルとを平均した値でテーブルを更新することとしてもよい。
【００２７】
一方、ネットワーク側が端末２へユーザデータを送信することを要求した場合、シーケンス制御部３２は、第１スケジューリング部３３に対してユーザデータの送信を要求する。このとき、シーケンス制御部３２は、ユーザデータに送信先となる端末のＩＤと優先度を付与して、第１スケジューリング部３３に転送する。第１スケジューリング部３３は、優先度に基づいて帯域割り当てを行う。
【００２８】
なお、帯域割り当てとは、具体的には、図７に示すフレームの各スロットに各端末の送受信可能な時間帯を割り当てることである。図７は、フレームの構成例を示す図である。図３に示すフレームの各チャネルを詳細に示す。共通チャネルは、スロット＃１−１とスロット＃１−ａをチャネルの両端として、スロット＃１−１からスロット＃１−ａまでの複数のスロットにより構成される。下り個別チャネルは、スロット＃２−１とスロット＃２−ｂをチャネルの両端として、スロット＃２−１からスロット＃２−ｂまでの複数のスロットにより構成される。上り個別チャネルは、スロット＃３−１とスロット＃３−ｃをチャネルの両端として、スロット＃３−１からスロット＃３−ｃまでの複数のスロットにより構成される。ＲＡＣＨは、スロット＃４−１とスロット＃４−ｄをチャネルの両端として、スロット＃４−１からスロット＃４−ｄまでの複数のスロットにより構成される。
【００２９】
また、帯域割り当ての処理の前提として、第２スケジューリング部３４は、隣接する無線基地局が通知する隣接無線基地局アップリンク開始位置情報と、復調部１５が通知する各スロットにおける隣接無線基地局との干渉レベルから、干渉レベルのテーブルを作成する。干渉レベルのテーブルは、隣接無線基地局の組み合わせ毎の干渉レベルを記録したテーブルである。また、隣接無線基地局アップリンク開始位置情報は、無線基地局が、通信を行うごとに変わる、フレームのアップリンクの最初のスロットの位置を、隣接する無線基地局に通知するための情報である。具体的には、図７における「スロット＃３−１」がアップリンク開始位置となる。隣接無線基地局との干渉レベルは、各ブランチ部からの受信信号を受ける復調部１５が算出する。
【００３０】
たとえば、図１において、無線基地局１，４と、さらに図に示さない無線基地局７の３つの無線基地局の場合を想定する。図８は、各無線基地局が行う通信と無線基地局１における干渉レベルとを示す図である。無線基地局１は、区間Ａにおいて、無線基地局４と無線基地局７がダウンリンク送信している状態での干渉レベルを測定できる。同様に、区間Ｂにおいて、無線基地局４がダウンリンク送信している状態での干渉レベルを測定できる。このように干渉レベルを測定することで、無線基地局１は、無線基地局４，７との各組み合わせの単位で記録した干渉レベルのテーブルを作成することができる。干渉レベルのテーブルは、たとえば、無線基地局を新規に設置するときに作成する。
【００３１】
無線基地局１は、実際の通信において、隣接する無線基地局が通知する隣接無線基地局アップリンク開始位置情報に基づいて、各スロットにおける干渉レベルをテーブルから求める。求めた干渉レベルにリンクマージンを加えた値を、各スロットにおける受信レベルのしきい値とする。受信レベルのしきい値とは、隣接する無線基地局から干渉を受けてもアップリンクの通信を行うことができる受信レベルの大きさである。
【００３２】
ここで、帯域割り当ての処理について説明する。図９は、帯域割り当ての処理を示すフローチャートである。まず、第１スケジューリング部３３は、共通チャネルのスロット＃１−１からスロット＃１−ａに、たとえば、基地局が送信する報知情報のために必要な帯域を割り当てる（ステップＳ１）。報知情報とは、基地局が通信エリア内の各端末に通知する共通の送信情報である。つぎに、第１スケジューリング部３３は、下り個別チャネルのスロット＃２−１からスロット＃２−ｂに、ユーザデータの送信先となる端末を割り当てる（ステップＳ２）。ここでは、自身が保持する送信バッファ内のユーザデータを優先度の高い順に選択し、それらのユーザデータの送信先となる端末を各スロットに割り当てる。送信バッファとは、ネットワーク側からのユーザデータ（ダウンリンク）を格納するバッファである。
【００３３】
つぎに、第１スケジューリング部３３は、上り個別チャネルのスロット＃３−１からスロット＃３−ｃに、自身が受信するユーザデータの送信元となる端末を割り当てる（ステップＳ３）。ここでは、自身が保持する受信要求バッファ内の受信要求をユーザデータの優先度の高い順に選択し、それらの受信要求を送信した端末を各スロットに割り当てる。受信要求バッファとは、端末が無線基地局１へ送信した受信要求を格納するバッファである。つぎに、第１スケジューリング部３３は、余ったスロット＃４−１からスロット＃４−ｄを、固有のＩＤを付与されていない端末が、無線基地局１へランダムにアクセスできる時間帯（ＲＡＣＨ）として割り当てる（ステップＳ４）。なお、上記ａ，ｂ，ｃ，ｄは任意の整数とする。
【００３４】
つぎに、第２スケジューリング部３４は、受信レベル管理部３１が保持する端末固有のＩＤと受信レベルの情報に基づいて、第１スケジューリング部３３が上り個別チャネルへ割り当てた端末を、受信レベルの大きい順に並べ替える（ステップＳ５）。その後、第２スケジューリング部３４は、まず、最も受信レベルの大きい端末について、その受信レベルと、上り個別チャネルの先頭のスロットにおける受信レベルのしきい値とを比較する（ステップＳ６）。割り当てた端末の受信レベルがスロットのしきい値より大きい場合（ステップＳ６：Ｙｅｓ）、そのスロットへ端末を割り当てる（ステップＳ７）。上り個別チャネルの全てのスロットの確認が終了していない場合（ステップＳ９：Ｎｏ）は、つぎに、２番目に受信レベルの大きい端末について、その端末の受信レベルと、アップリンクの先頭から２番目のスロットにおける受信レベルのしきい値を比較する（ステップＳ６）。
【００３５】
２番目に受信レベルの大きい端末の受信レベルが、上り個別チャネルの先頭から２番目のスロットのしきい値以下の場合（ステップＳ６：Ｎｏ）、そのスロットへ端末を割り当てず、未使用スロットとする（ステップＳ８）。上り個別チャネルの全てのスロットの確認が終了していない場合（ステップＳ９：Ｎｏ）は、つぎに、上記ステップＳ８で割り当てられなかった２番目に受信レベルの大きい端末について、その端末の受信レベルと、上り個別チャネルの先頭から３番目のスロットにおける受信レベルのしきい値を比較する（ステップＳ６）。２番目に受信レベルの大きい端末の受信レベルが、上り個別チャネルの先頭から３番目のスロットのしきい値より大きい場合（ステップＳ６：Ｙｅｓ）、そのスロットへ端末を割り当てる（ステップＳ７）。上り個別チャネルの全てのスロットの確認が終了していない場合（ステップＳ９：Ｎｏ）は、ステップＳ６へ戻る。
【００３６】
以降、上り個別チャネルの全てのスロットの確認が終了するまで、ステップＳ６〜Ｓ９の処理を繰り返し実行し、上り個別チャネルの全てのスロットの確認が終了した時点で（ステップＳ９：Ｙｅｓ）、帯域割り当ての処理を終了する。その後、第２スケジューリング部３４は、受信パケット処理部３０へスケジューリングの結果を通知する。また、パケット送信部３５を経由して、変調部１７へ順番に送信データを転送する。
【００３７】
以上説明したように、本実施の形態では、上り個別チャネルに割り当てた端末を、端末の受信レベルの大きい順に並べ替え、さらに、スロット毎に設けたしきい値と比較して割り当て可否の判断を行うこととした。これにより、割り当てられた端末はリンクマージンを確保し、アップリンクのパケットの受信確率を向上させることができる。
【００３８】
実施の形態２．
図１０は、帯域割り当ての処理を表すフローチャートである。第１スケジューリング部３３が余ったスロットをＲＡＣＨとして割り当てた（ステップＳ４）後に、第２スケジューリング部３４が下り個別チャネルへ割り当てた帯域を、端末の受信レベルの大きい順に並べ替える（ステップＳ２０）点が、実施の形態１（図９参照）と異なる。
【００３９】
端末２は、自端末宛ての下りパケットを受信した場合、無線基地局１に対して、ＵＬ  ＡＲＱ−ＡＣＫ（Up  Link  Automatic  Report  Request−Acknowledgement）を送信する。しかし、無線基地局１が端末２に対して割り当てた下り個別チャネルのスロットと上り個別チャネルのスロットが近接する場合、端末２は、処理時間が間に合わずＵＬ  ＡＲＱ−ＡＣＫを送信できない場合がある。本実施の形態では、上り個別チャネルと同様に、下り個別チャネルにおいても端末の受信レベルの大きい順に割り当て帯域を並べ替えることで、ＵＬ  ＡＲＱ−ＡＣＫを送信するための十分な処理時間を確保する。
【００４０】
以上説明したように、本実施の形態では、下り個別チャネルについても、受信レベルの大きい順に端末を並べ替えることとした。これにより、端末は、ＵＬ  ＡＲＱ−ＡＣＫを送信するまでの処理時間を確保することができる。
【産業上の利用可能性】
【００４１】
以上のように、本発明にかかる無線基地局は、ＴＤＭＡ／ＴＤＤ方式を採用する通信システムに有用であり、特に、各無線基地局においてダウンリンクとアップリンクの境界がフレーム毎に変わる場合のスケジューリングに適している。
【図面の簡単な説明】
【００４２】
【図１】ネットワークの構成例を示す図である。
【図２】フレームの構成例を示す図である。
【図３】フレームの構成例を示す図である。
【図４】無線基地局の構成例を示す図である。
【図５】無線基地局の構成例を示す図である。
【図６】制御部の構成例を示す図である。
【図７】フレームの構成例を示す図である。
【図８】無線基地局が行う通信の干渉レベルを示す図である。
【図９】帯域割り当ての処理を示すフローチャートである。
【図１０】帯域割り当ての処理を示すフローチャートである。
【符号の説明】
【００４３】
１，１ａ，４  無線基地局
２，３，５，６  端末
１０−１，１０−２，…，１０−ｎ  ブランチ部
１１  アンテナ部
１２  スイッチ部
１３  ＬＮＡ部
１４  Ａ／Ｄ変換部
１５  復調部
１６  制御部
１７  変調部
１８  Ｄ／Ａ変換部
１９  ＨＰＡ部
２０−１，２０−２，…，２０−ｎ  ブランチ部
２１，２２  光変換部
３０  受信パケット処理部
３１  受信レベル管理部
３２  シーケンス制御部
３３  第１スケジューリング部
３４  第２スケジューリング部
３５  パケット送信部
【図１】
2010004409.tif 000003
【図２】
2010004409.tif 000004
【図３】
2010004409.tif 000005
【図４】
2010004409.tif 000006
【図５】
2010004409.tif 000007
【図６】
2010004409.tif 000008
【図７】
2010004409.tif 000009
【図８】
2010004409.tif 000010
【図９】
2010004409.tif 000011
【図１０】
2010004409.tif 000012